(57)【要約】      （修正有）【課題】通信対象物に対するアンテナの方向調整をより簡易かつ高精度に行えるようにしたアンテナの方向調整器を提供する。【解決手段】方向調整器１にあっては、作業者が通信対象物（対向配置されたアンテナ）を確認するための照準穴２を備え、当該照準穴２が、通信対象物側の開口部２２の径よりも作業者目視側の開口部２１の径が大きく形成されると共に、内面２Ａに中心軸を挟んで対向する少なくとも一対の切欠き部２３，２４，２５，２６が形成されるように構成した。【選択図】図１
2009207081.tif 000002
【特許請求の範囲】
【請求項１】
アンテナに取り付けられて前記アンテナの方向調整に用いられるアンテナの方向調整器において、
作業者が通信対象物を確認するための照準穴を備え、前記照準穴は、通信対象物側の開口部の径よりも作業者目視側の開口部の径が大きく形成されると共に、内面に中心軸を挟んで対向する少なくとも一対の切欠き部が形成されることを特徴とするアンテナの方向調整器。
【発明の詳細な説明】
【技術分野】
【０００１】
本発明は、アンテナの方向調整器に関し、より詳しくは、指向性を有するアンテナに取り付けられ、当該アンテナの主ビームの方向を対象物に合わせるときに用いられるアンテナの方向調整器に関する。
【背景技術】
【０００２】
準ミリ波帯やミリ波帯を使用して無線通信システムを構築する場合、高い利得が得られるペンシルビーム特性を有するパラボラアンテナや平面アンテナが使われている。これら指向性を有するアンテナの方向を調整するために、例えば特許文献１に記載される方向調整器が提案されている。特許文献１に記載される方向調整器は、作業者が覗いて通信対象物を確認するための照準穴を有し、当該照準穴の中心軸がアンテナの主ビームの方向と平行になるようにアンテナに取り付けられると共に、当該照準穴の通信対象物側の開口部の穴径に対して作業者目視側の開口部の穴径が大きく形成される。
【特許文献１】国際公開第０６／１０９７０７号パンフレット
【発明の開示】
【発明が解決しようとする課題】
【０００３】
上記した特許文献１に記載される方向調整器にあっては、照準穴の通信対象物側の開口部の穴径に対して作業者目視側の開口部の穴径を大きく形成されているので、作業者は、照準穴を覗いたときに各開口部が同心円を描き、かつ通信対象物が照準穴の中心軸上に位置するようにアンテナの向きを調整することにより、アンテナの主ビーム方向を通信対象物に合わせることができる。
【０００４】
本発明の目的は上記した従来技術をさらに改良し、通信対象物に対するアンテナの方向調整をより簡易かつ高精度に行えるようにしたアンテナの方向調整器を提供することにある。
【課題を解決するための手段】
【０００５】
上記した課題を解決するため、本発明に係るアンテナの方向調整器にあっては、作業者が通信対象物を確認するための照準穴を備え、当該照準穴が、通信対象物側の開口部の径よりも作業者目視側の開口部の径が大きく形成されると共に、内面に中心軸を挟んで対向する少なくとも一対の切欠き部が形成されるように構成した。
【発明の効果】
【０００６】
本発明に係るアンテナの方向調整器にあっては、作業者が通信対象物を確認するための照準穴を備え、当該照準穴が、通信対象物側の開口部の径よりも作業者目視側の開口部の径が大きく形成されると共に、内面に中心軸を挟んで対向する少なくとも一対の切欠き部が形成されるように構成したので、作業者が照準穴を覗いたときに各開口部が同心円を描き、かつ通信対象物が照準穴の中心軸上に位置するようにアンテナの向きを調整することにより、アンテナの主ビーム方向を通信対象物に合わせることができるのに加え、通信対象物と切欠き部の位置関係を見ることにより、通信対象物が照準穴の中心軸上に位置しているか否かを容易かつ正確に確認することができる。そのため、通信対象物に対するアンテナの方向調整をより簡易かつ高精度に行うことができる。
【発明を実施するための最良の形態】
【０００７】
以下、本発明に係るアンテナの方向調整器を実施するための最良の形態について、図面を参照して説明する。
【０００８】
図１は、本発明に係るアンテナの方向調整器を示す正面図（作業者が覗く側から見た図）である。また、図２は、図１に示す方向調整器が取り付けられるアンテナの側面図であり、図３は、当該アンテナの背面図である。
【０００９】
各図において、符号１はアンテナの方向調整器を示す。方向調整器１は、作業者が通信対象物を確認するための複数個（本実施形態では３個）の照準穴２，３，４を備える。方向調整器１は、各照準穴２，３，４の中心軸（後述）がアンテナ５の主ビーム方向と平行になるように、アンテナ５の縁部に取り付けられる。アンテナ５は、例えば複数のアンテナ素子がアレイ状に配置された平面アンテナである。図２に示すように、２台のアンテナ５が対向配置されることにより、無線通信システムが構築される。
【００１０】
アンテナ５の背面には、方向調整金具６が固定される。アンテナ５は、ビルの屋上などに設置されたポール７に方向調整金具６を介して取り付けられると共に、この方向調整金具６により、図４に示すように水平軸周りにも鉛直軸周りにも方向が調整可能とされる。尚、方向調整金具６は、相対角度が可変な一対のコの字状部材やＵ字ボルトなどから構成されるが、構成の詳細は本発明の要旨と直接の関係を有さないため、説明を省略する。
【００１１】
方向調整器１の各照準穴２，３，４は、図１に示すように、それぞれ径が異なる。これは、対向するアンテナ（通信対象物）の距離や大きさなどに応じて照準穴を使い分けるためである。以下、この照準穴について詳説するが、各照準穴２，３，４は大きさが異なるだけで構成は同じであるため、以下の説明では照準穴２を例に挙げて説明する。
【００１２】
図５は、図１のＶ−Ｖ線断面図である。図１及び図５に示すように、照準穴２は、作業者目視側（アンテナ５の背面側）の開口部２１から通信対象物側の開口部２２に近づくにしたがって、径が小さくなるように形成される。即ち、作業者目視側の開口部２１の径は、通信対象物側の開口部２２の径よりも大きく形成される。
【００１３】
また、照準穴２の内面（内周面）２Ａにおいて、照準穴２の中心軸２Ｃを挟んで対向する位置には、一対の切欠き部２３，２４と、他の一対の切欠き部２５，２６、即ち、計二対の切欠き部が形成される。切欠き部２３，２４は、具体的には、方向調整器１がアンテナ５に取り付けられたときに、中心軸２Ｃと同一の鉛直面上に配列されるように形成される。一方、切欠き部２５，２６は、方向調整器１がアンテナ５に取り付けられたときに、中心軸２Ｃと同一の水平面上に配列されるように形成される。また、各切欠き部２３，２４，２５，２６は、切欠き底面から中心軸２Ｃまでの距離が開口部２１から開口部２２に亘って一定となるように形成される。
【００１４】
上記の方向調整器１を用いてアンテナ５の主ビーム方向を対向配置されたアンテナ（通信対象物）に向けるには、開口部２１と開口部２２が中心軸２Ｃを中心として同心円を描き、かつ、対向配置されたアンテナが中心軸２Ｃ上に位置するように、アンテナ５の方向を調整する。
【００１５】
図６は、照準穴２を覗いて通信対象物を確認した状態を示す説明図であり、同図（Ａ）は、作業者目視側の開口部２１と通信対象物側の開口部２２が中心軸２Ｃを中心として同心円を描いておらず、かつ、通信対象物が中心軸２Ｃ上に位置していないときを示している。また、同図６（Ｂ）は、開口部２１と開口部２２が中心軸２Ｃを中心として同心円を描いており、かつ、通信対象物が中心軸２Ｃ上に位置しているときを示している。一方、図７は、上述した従来技術に係る方向調整器の照準穴（切欠き部２３，２４，２５，２６が形成されていない照準穴）を覗いて通信対象物を確認した状態を示す、図６と同様な説明図である。図７において、照準穴を符号２００、作業者目視側の開口部と通信対象物側の開口部をそれぞれ符号２１０，２２０、照準穴の中心軸を符号２００Ｃ、通信対象物（対向配置されたアンテナ）を符号５００で示す。図６及び図７を対比して明らかなように、対向する一対以上の切欠き部２３，２４，２５，２６を設けることにより、それらと通信対象物の位置関係を見ることによって、通信対象物が照準穴２の中心軸上に位置しているか否か、さらには、ずれている方向や量を、切欠き部２３，２４，２５，２６を設けない場合に比して容易かつ正確に確認することができる。
【００１６】
尚、上記では一対の切欠き部２３，２４と、他の一対の切欠き部２５，２６の計二対の切欠き部を形成したが、切欠き部は一対のみであっても良いし、三対以上であっても良い。また、切欠き部の形成位置は垂直方向や水平方向に限られるものではない。また、図４などに示したように、方向調整器１がアンテナ５に取り付けられたとき、各照準穴２，３，４はアンテナ５の縁部よりも外方に位置させられるが、アンテナ５の中心から各照準穴２，３，４までの距離は、対向配置されるアンテナとの距離に比して十分に小さいため、アンテナ５の方向調整に影響を与えることはない。また、図１では対向配置された２台のアンテナ５の双方に方向調整器１を取り付けているが、いずれか一方（方向調整を行う側）のアンテナのみに取り付けるようにしても良い。
【００１７】
このように、本発明に係る方向調整器１にあっては、作業者が通信対象物（対向するアンテナ５）を確認するための照準穴２（及び照準穴３，４）を備え、当該照準穴２，３，４が、通信対象物側の開口部２２の径よりも作業者目視側の開口部２１の径が大きく形成されると共に、内面に中心軸２Ｃを挟んで対向する少なくとも一対の切欠き部２３，２４，２５，２６が形成されるように構成したので、作業者が照準穴を覗いたときに各開口部が同心円を描き、かつ通信対象物が照準穴の中心軸上に位置するようにアンテナの向きを調整することにより、アンテナの主ビーム方向を通信対象物に合わせることができるのに加え、通信対象物と切欠き部の位置関係を見ることにより、通信対象物が照準穴の中心軸上に位置しているか否かを容易かつ正確に確認することができる。そのため、通信対象物に対するアンテナの方向調整をより簡易かつ高精度に行うことができる。
【図面の簡単な説明】
【００１８】
【図１】本発明に係るアンテナの方向調整器を示す正面図である。
【図２】図１に示す方向調整器が取り付けられるアンテナの側面図である。
【図３】図２に示すアンテナの背面図である。
【図４】図２に示すアンテナの可動方向を説明する斜視図である。
【図５】図１のＶ−Ｖ線断面図である。
【図６】図１に示す照準穴を覗いて通信対象物を確認した状態を示す説明図である。
【図７】従来技術に係る方向調整器の照準穴を覗いて通信対象物を確認した状態を示す、図６と同様な説明図である。
【符号の説明】
【００１９】
１：方向調整器
２，３，４：照準穴
２Ａ：照準穴の内面
２Ｃ：照準穴の中心軸
２１：作業者目視側の開口部
２２：通信対象物側の開口部
２３，２４，２５，２６：切欠き部
５：アンテナ
【図１】
2009207081.tif 000003
【図２】
2009207081.tif 000004
【図３】
2009207081.tif 000005
【図４】
2009207081.tif 000006
【図５】
2009207081.tif 000007
【図６】
2009207081.tif 000008
【図７】
2009207081.tif 000009